(57)【要約】【課題】  本発明は、消費電力の増加を抑えつつ、動画表示において高画質表示が可能な液晶表示装置を提供する。【解決手段】  本発明は、マトリックス状に配列された複数の画素１１と、画素１１に対応して設けられたＴＦＴ１２と、ＴＦＴ１２を選択するための走査線３と、画像信号を供給する信号線３と、画素に対応して設けられたＴＦＴ１５と、ＴＦＴ１５を選択するための選択線１６と、反転駆動した場合の黒信号に相当するハイ側電圧を供給する信号線１８と、画素に対応して設けられたＴＦＴ１４と、ＴＦＴ１４を選択するための選択線１７と、反転駆動した場合の黒信号に相当するロー側電圧を供給する信号線１９とを備える液晶表示装置である。【選択図】図１
2006058545.tif 000002
【特許請求の範囲】
【請求項１】
マトリックス状に配列された複数の画素と、
前記画素に対応して設けられ、画像信号を前記画素に印加する第１素子と、
行方向の複数の前記第１素子を選択するための走査線と、
前記第１素子に前記画像信号を供給する第１信号線と、
前記画素に対応して設けられ、反転駆動した場合の黒信号に相当するハイ側電圧を前記画素に印加する第２素子と、
行方向の複数の前記第２素子を選択するための第１選択線と、
前記第２素子に前記ハイ側電圧を供給する第２信号線と、
前記画素に対応して設けられ、反転駆動した場合の黒信号に相当するロー側電圧を前記画素に印加する第３素子と、
行方向の複数の前記第３素子を選択するための第２選択線と、
前記第３素子に前記ロー側電圧を供給する第３信号線とを備える液晶表示装置であって、
前記第２素子又は前記第３素子の一方は、前記第１素子に前記画像信号が印加されてから所定の期間経過後に、前記ハイ側電圧又は前記ロー側電圧の一方を前記画素に印加することを特徴とする液晶表示装置。
【請求項２】
請求項１に記載の液晶表示装置であって、
前記画素に対応して設けられ、前記第１素子、前記第２素子及び前記第３素子の駆動を制御する選択回路をさらに備え、
前記選択回路は、前記走査線、前記第１選択線及び前記第２選択線に替えて、２本の２ビット信号供給指令選択線が接続され、前記２ビット信号供給指令選択線から供給される信号に基づき、行方向の複数の前記第１素子乃至前記第３素子のいずれかを選択することを特徴とする液晶表示装置。
【請求項３】
請求項１に記載の液晶表示装置であって、
前記第２信号線及び前記第３信号線は、マトリックス状に配列された複数の前記画素に対して少なくとも１列おきに設けられ、
前記第２信号線及び前記第３信号線に隣接する前記画素に設けられた前記第２素子及び前記第３素子は、共通に当該前記第２信号線及び前記第３信号線に接続されていることを特徴とする液晶表示装置。
【請求項４】
請求項１又は請求項３に記載の液晶表示装置であって、
前記第１選択線及び前記第２選択線は、マトリックス状に配列された複数の前記画素に対して少なくとも１行おきに設けられ、
前記第１選択線及び前記第２選択線に隣接する前記画素に設けられた前記第２素子及び前記第３素子は、共通に当該前記第１選択線及び前記第２選択線に接続されていることを特徴とする液晶表示装置。
【請求項５】
マトリックス状に配列された複数の画素と、
前記画素に対応して設けられ、画像信号を前記画素に印加する第１素子と、
行方向の複数の前記第１素子を選択するための走査線と、
前記第１素子に前記画像信号を供給する第１信号線と、
前記画素に対応して設けられ、反転駆動した場合の黒信号を前記画素に印加する第２素子と、
行方向の複数の前記第２素子を選択するための第１選択線と、
前記第２素子に前記黒信号を供給する第２信号線とを備える液晶表示装置であって、
前記第２信号線は、マトリックス状に配列された複数の前記画素に対して少なくとも１列おきに設けられ、
前記第２信号線に隣接する前記画素に設けられた前記第２素子は、共通に当該前記第２信号線に接続され、
前記第２素子は、前記第１素子に前記画像信号が印加されてから所定の期間経過後に、前記黒信号を前記画素に印加することを特徴とする液晶表示装置。
【請求項６】
請求項５に記載の液晶表示装置であって、
前記第１選択線は、マトリックス状に配列された複数の前記画素に対して少なくとも１行おきに設けられ、
前記第１選択線に隣接する前記画素に設けられた前記第２素子は、共通に当該前記第１選択線に接続されていることを特徴とする液晶表示装置。
【請求項７】
マトリックス状に配列された複数の画素と、
前記画素に対応して設けられ、画像信号を前記画素に印加する第１素子と、
行方向の複数の前記第１素子を選択するための走査線と、
前記第１素子に前記画像信号を供給する第１信号線と、
前記画素に対応して設けられ、反転駆動した場合の黒信号を前記画素に印加する第２素子と、
行方向の複数の前記第２素子を選択するための第１選択線と、
前記第２素子に前記黒信号を供給する第２信号線とを備える液晶表示装置であって、
前記第１選択線は、マトリックス状に配列された複数の前記画素に対して少なくとも１行おきに設けられ、
前記第１選択線に隣接する前記画素に設けられた前記第２素子は、共通に当該前記第１選択線に接続され、
前記第２素子は、前記第１素子に前記画像信号が印加されてからの所定の期間経過後に、前記黒信号を前記画素に印加することを特徴とする液晶表示装置。
【請求項８】
請求項５乃至請求項７のいずれか１つに記載の液晶表示装置であって、
前記画像信号に応じて反転駆動方式を選択する反転制御部をさらに備えることを特徴とする液晶表示装置。
【請求項９】
マトリックス状に配列された複数の画素と、
前記画素に対応して設けられ、画像信号を前記画素に印加する第１素子と、
行方向の複数の前記第１素子を選択するための走査線と、
前記第１素子に前記画像信号を供給する第１信号線と、
前記画素に対応して設けられ、反転駆動した場合の黒信号を前記画素に印加する第２素子と、
行方向の複数の前記第２素子を選択するための第１選択線と、
前記第２素子に前記黒信号を供給する第２信号線と、
前記画像信号に応じて反転駆動方式を選択する反転制御部とを備える液晶表示装置。
【発明の詳細な説明】
【技術分野】
【０００１】
本発明は、液晶表示装置に係る発明であって、特に、動画表示を行う液晶表示装置に関するものである。
【背景技術】
【０００２】
画像表示装置としては、画像の書込み後、フレーム周期に対して十分短い時間のみ表示するインパルス型表示装置（例えばＣＲＴ）と、新たな画像の書込みが行われるまで前フレームの表示を保持し続けるホールド型表示装置（例えば液晶表示装置）の２種類に大きく分類される。
【０００３】
しかし、ホールド型表示装置では、動画を表示したとき残像が生じるという問題があった。これは眼球の随従性運動と積分効果によるもので、眼球は随従性運動により対象物が動く方向に連続的に動き、この間視線が通る対象物からの光刺激が足し合わされて応答することになる。ただ、ホールド型表示装置では、対象物に応じて眼球が移動してもフレーム周期でしか画像が変化しないため、対象物の動きが速ければ速いほど著しい動解像度の低下が生じることになる。
【０００４】
この問題を解決するため、従来技術としては、例えば特許文献１に記載された液晶表示装置が提案されている。特許文献１に記載されているマトリックス型液晶表示装置では、画素に信号を供給して駆動するための能動素子として、３端子素子であるＴＦＴ（Thin Film Transistor）を用いたものである。また、当該ＴＦＴは、画素を選択的に駆動させるスイッチング素子として動作する。そして、液晶表示装置では、ｎ行ｍ列のマトリックス状に配列された液晶表示セルを有しており、各液晶表示セルには液晶画素（以下では、画素ともいう）が設けられている。
【０００５】
特許文献１の各画素では、並列に接続された２つのＴＦＴを備えている。この２つのＴＦＴのドレイン電極は、画素の電極に接続され、全ての画素の電極には共通の対向電極が接続されている。そして、液晶表示装置には、ｎ本の行選択用走査線が平行に配置され、ＴＦＴの開閉制御端子（ゲート電極）に接続されている。この行選択用走査線に直交するようにｍ本の表示用信号線が配置され、ＴＦＴの信号入力端子（ソース電極）に接続されている。行選択用走査線及び表示用信号線は、ゲートドライバ及びソースドライバにそれぞれ接続されている。
【０００６】
画像信号は、ソースドライバに入力され、表示信号として表示用信号線に供給される。そして、液晶表示装置では、ゲートドライバから、走査信号を選択的に行選択用走査線に供給し、１行単位で順次表示信号が画素に書込まれ、画像が表示される。さらに特許文献１では、ｎ本の黒信号供給指令選択線が行選択用走査線に平行して配置され、黒書込み用のＴＦＴのゲート電極に接続されている。この黒信号供給指令選択線に直交するようにｍ本の黒信号供給線が平行に配置され、黒書込み用のＴＦＴの信号入力端子（ソース電極）に接続されている。
【０００７】
この黒信号供給指令選択線は、それぞれゲートドライバに接続されているが、黒信号供給線は共通に黒信号供給部に接続されている。黒信号供給部は、全ての黒信号供給線に黒表示の電圧を有する黒信号を供給する。一方、ゲートドライバは、黒信号供給指令選択線に対し、選択的に走査信号を供給することで、画素に対し１行単位で黒信号を書込み、黒表示させる。
【０００８】
【特許文献１】特開平９−１２７９１７号
【発明の開示】
【発明が解決しようとする課題】
【０００９】
しかし、液晶表示装置においては、液晶層に一方向の電界が長時間印加し続けることにより、表示が劣化する性質を有していることから、一般的に反転駆動である交流駆動が行われている。そのため、液晶表示装置の消費電力の大半は、表示用信号線の容量負荷に対する反転駆動による消費電力である。特許文献１に係る液晶表示装置においては、表示信号について反転駆動を行っているだけでなく、黒信号についても同様に反転駆動を行う必要があった。
【００１０】
特に、ノーマリーホワイトの液晶に黒信号を表示させる場合、反転駆動の黒信号は振幅が最大となるパルス波形を黒信号供給線に供給する。そのため、特許文献１に係る液晶表示装置では、黒信号による黒表示を行う毎に、黒信号供給線の容量負荷における電力消費が大きくなる。従って、黒信号供給線の容量負荷に対する反転駆動の黒信号による消費電力が増加することにより、特許文献１に係る液晶表示装置では消費電力が大幅に増加する問題があった。
【００１１】
そこで、本発明は、消費電力の増加を抑えつつ、動画表示において高画質表示が可能な液晶表示装置を提供することを目的とする。
【課題を解決するための手段】
【００１２】
本発明に係る解決手段は、マトリックス状に配列された複数の画素と、画素に対応して設けられ、画像信号を画素に印加する第１素子と、行方向の複数の第１素子を選択するための走査線と、第１素子に画像信号を供給する第１信号線と、画素に対応して設けられ、反転駆動した場合の黒信号に相当するハイ側電圧を画素に印加する第２素子と、行方向の複数の第２素子を選択するための第１選択線と、第２素子にハイ側電圧を供給する第２信号線と、画素に対応して設けられ、反転駆動した場合の黒信号に相当するロー側電圧を画素に印加する第３素子と、行方向の複数の第３素子を選択するための第２選択線と、第３素子にロー側電圧を供給する第３信号線とを備える液晶表示装置であって、第２素子又は第３素子の一方は、第１素子に画像信号が印加されてから所定の期間経過後に、ハイ側電圧又はロー側電圧の一方を画素に印加する。
【発明の効果】
【００１３】
本発明に記載の液晶表示装置は、第２素子又は第３素子の一方は、第１素子に画像信号が印加されてから所定の期間経過後に、反転駆動した場合の黒信号に相当するハイ側電圧又はロー側電圧の一方を画素に印加するので、消費電力の増加を抑えつつ、動画表示において高画質の表示を行うことが可能となる効果がある。
【発明を実施するための最良の形態】
【００１４】
（実施の形態１）
次に、実施の形態１について以下に説明する。まず、図１に、本実施の形態に係る液晶表示装置の構成図を示す。実施の形態１に係る液晶表示装置は、ｎ行ｍ列のマトリックス状に液晶表示セル１が配列されているが、図１にはその１部である２行３列の液晶表示セル１が図示されている。そして、個々の液晶表示セル１には、画素１１と、当該画素１１の一方の電極に対して並列に接続された３つのＴＦＴ１２,１４,１５とを有している。なお、画素１１の他方の電極１３は、全ての液晶表示セル１に対する共通の電極となっている。
【００１５】
本実施の形態に係る液晶表示セル１では、それぞれ３つのＴＦＴ１２,１４,１５を有しているが、このうちＴＦＴ１２は、画像信号に基づき所定の電圧を画素１１に印加している。そして、ＴＦＴ１４，１５は、ホールド型表示装置である液晶表示装置の画像をインパルス型表示装置の画像に近づけるために、画像表示後に黒表示の電圧を画素１１に印加して、画像を消去している。
【００１６】
ＴＦＴ１２,１４,１５のドレイン電極は、共通に画素１１の他方の電極に接続されているが、ＴＦＴ１２のソース電極は、表示用信号線３を介してソースドライバ５に接続されている。また、ＴＦＴ１２のゲート電極は、行選択用走査線２を介してゲートドライバ４に接続されている。
【００１７】
一方、ＴＦＴ１４，１５により画素１１に印加されるのは黒信号の電圧であり、その階調は一つの値に固定されている。しかし、液晶表示装置においては、一般的な駆動方法として反転駆動が行われている。そのため、黒信号の階調が一つであっても、画素に印加される電圧はハイ側の電圧とロー側の電圧の２種類となる。反転駆動においてＴＦＴ１４，１５に供給される信号は、このハイ側の電圧とロー側の電圧とを組み合わせたパルス波形信号となる。
【００１８】
しかし、本実施の形態に係る液晶表示装置では、黒表示用に２つのＴＦＴ１４，１５を設けているため、一方のＴＦＴ１４にはハイ側の電圧値に固定された電圧のみが供給され、他方のＴＦＴ１５にはロー側の電圧値に固定された電圧のみ供給されている。つまり、本実施の形態に係る液晶表示装置では、パルス波形信号におけるハイ側の電圧値のみを画素１１に印加するＴＦＴ１４と、パルス波形信号におけるロー側の電圧値のみを画素１１に印加するＴＦＴ１５とに分けることで、ＴＦＴ１４，１５に接続された信号線にパルス波形信号を供給しない構成としている。なお、図１では、ハイ側電圧供給部２１が、ハイ側の電圧値に固定された電圧を出力し、ロー側電圧供給部２２が、ロー側の電圧値に固定された電圧を出力する。
【００１９】
ＴＦＴ１４は、ソース電極がロー側電圧用供給線１９を介してロー側電圧供給部２２に接続されており、ゲート電極がロー側電圧用供給指令選択線１７を介してゲートドライバ２０に接続されている。ロー側電圧用供給線１９は、全て共通にロー側電圧供給部２２の出力が供給されており、画素１１には反転駆動した場合におけるパルス波形信号の黒信号に相当するロー側電圧（固定電圧）が供給されている。
【００２０】
ＴＦＴ１５は、ソース電極がハイ側電圧用供給線１８を介してハイ側電圧供給部２１に接続されており、ゲート電極がハイ側電圧用供給指令選択線１６を介してゲートドライバ６に接続されている。ハイ側電圧用供給線１８は、全て共通にハイ側電圧供給部２１の出力が供給されており、画素１１には反転駆動した場合の黒信号に相当するハイ側電圧（固定電圧）が供給されている。
【００２１】
ロー側電圧用供給指令選択線１７は、ゲートドライバ６により選択駆動されている。同様に、ハイ側電圧用供給指令選択線１６は、ゲートドライバ２０により選択駆動されている。また、行選択用走査線２は、ゲートドライバ４により選択駆動され、表示用信号線３はソースドライバ５により駆動される。
【００２２】
次に、本実施の形態に係る液晶表示装置の動作について説明する。まず、１フレーム内において画像表示させ、その後黒書込みを行い画像を消去する駆動方法について一般的な説明を行う。まず、図２（ａ）に、当該駆動方法のタイミングチャートを示す。図２（ａ）に示すある垂直同期信号から次に垂直同期信号までの期間が１フレームの垂直走査期間である。今、この１フレームの垂直走査期間内において、Ｔ１のタイミングでゲートドライバによって選択されたｘ本目の行選択用走査線が駆動される。図２（ａ）では、ｘ本目の行選択用走査線に供給される書込みスタートパルスが示されている。この書込みスタートパルスにより、ｘ本目の行選択用走査線と列方向の表示用信号線群に接続されたＴＦＴ群を通じて、ｘ本目の画素群にソースドライバから画像信号が印加され、ｘ本目の画素群に画像が表示される。１画面の画像を画素群に書込むには、入力画像信号を表示走査線に対応する行選択用走査線を順次駆動することにより行うことが可能となる。
【００２３】
そして、１フレームの垂直走査期間内において、Ｔ１から時間Ａを経過したＴ２のタイミングで、ゲートドライバによって選択されたｘ＋ａ本目の行選択用走査線が駆動される。図２（ａ）では、ｘ＋ａ本目の行選択用走査線に供給される書込みスタートパルスが示されている。この書込みスタートパルスにより、ｘ＋ａ本目の行選択用走査線と列方向の表示用信号線群に接続されたＴＦＴ群を通じて、ｘ＋ａ本目の画素群にソースドライバから画像信号が印加され、ｘ＋ａ本目の画素群に画像が表示される。
【００２４】
それと同時（Ｔ２のタイミング）に、ｘ本目の画素群に黒書込みが行われ画像が消去される。具体的には、ゲートドライバと異なるゲートドライバによってｘ本目の黒信号供給指令選択線が駆動される。図２（ａ）では、ｘ本目の黒信号供給指令選択線に供給される消去スタートパルスが示されている。この消去スタートパルスにより、ｘ本目の黒信号供給指令選択線と黒信号供給線群に接続されたＴＦＴ群を通じて、ｘ本目の画素１１群に黒信号供給部から黒信号が印加され、ｘ本目の画素１１群に黒画像が表示される。１画面の画素１１群に黒書込み（つまり、画像を消去する）を行うには、入力画像信号の表示走査線に対して走査線数ａ本分遅れた（時間Ａ遅れた）タイミングで、黒信号による書込み（つまり、走査線に対応する黒信号供給指令選択線の駆動）を順次繰り返すことで可能となる。
【００２５】
図２（ａ）のタイミングチャートに示すように、同一の黒信号供給指令選択線に供給されるラインの書込みスタートパルスと消去スタートパルスとは、常に走査線数ａ本（時間Ａ）分の間隔を隔てている。図２（ｂ）では、Ｔ１のタイミングでの液晶表示装置の画面であり、ｘ本目のラインまで画像が表示されている様子が示されている。また、図２（ｃ）では、Ｔ２のタイミングでの液晶表示装置の画面であり、ｘ＋ａ本目のラインまで画像が表示されているがｘ本目のラインまで画像が消去されている様子が示されている。
【００２６】
さらに、上記の駆動方法を、背景技術で説明した黒書込みを行うＴＦＴが１つの液晶表示装置に適用する場合、黒書込みも反転駆動を行うので黒信号供給部から供給される信号は必然的にパルス波形信号となり、黒信号供給線の容量負荷による電力消費が大きくなり問題であった。
【００２７】
しかし、本実施の形態に係る液晶表示装置では、図１に示したように黒書込みを行うＴＦＴ１４，１５を２つにし、黒信号供給部もハイ側電圧供給部２１とロー側電圧供給部２２とすることで、上記の駆動方法を適用した場合であっても黒信号供給線にパルス波形信号を供給しない構成である。
【００２８】
具体的には、図１及び図２（ａ）を参照して以下に説明する。まず、ある１フレームの垂直走査期間内のＴ１のタイミングに、ゲートドライバ４によって選択されたｘ本目の行選択用走査線２が駆動される。これにより、選択されたｘ本目の行選択用走査線２と表示用信号線３群に接続されたＴＦＴ１２群を通じて、ソースドライバ５よりｘ本目の画素１１群に、ｘ本目の画像信号が印加される。
【００２９】
次に、同じ１フレームの垂直走査期間内のＴ２のタイミングに、ゲートドライバ６によって選択された黒信号供給指令選択線であるｘ本目のハイ側電圧用供給指令選択線１６が駆動される。選択されたｘ本目のハイ側電圧用供給指令選択線１６とハイ側電圧用供給線１８に接続されたＴＦＴ１５群を通じて、ｘ本目の画素群１１にハイ側電圧供給部２１から、反転駆動した場合におけるパルス波形信号の黒信号に相当するハイ側電圧が印加される。
【００３０】
本実施の形態に係る液晶表示装置においても反転駆動を行っており例えばライン反転駆動であれば、上記のようにｘ本目の画素群１１に黒信号に相当するハイ側電圧が印加された場合、ｘ＋１本目の画素群１１にはパルス波形信号の黒信号に相当するロー側電圧が印加されることになる。つまり、ｘ＋１本目の画素群１１は、ｘ＋１本目のロー側電圧用供給指令選択線１７がゲートドライバ２０によって選択される。そして、選択されたｘ＋１本目のロー側電圧用供給指令選択線１７とロー側電圧用供給線１９に接続されたＴＦＴ１４群を通じて、ｘ＋１本目の画素群１１にロー側電圧供給部２２から、反転駆動した場合におけるパルス波形信号の黒信号に相当するロー側電圧が印加される。なお、ｘ＋１本目の書込みスタートパルス及び消去スタートパルスは図２（ａ）に示されていない。
【００３１】
本実施の形態に係る液晶表示装置では、ＴＦＴ１４,１５への駆動を交互に選択しながら走査線を順次変更する動作を繰り返している。これにより、本実施の形態では、反転駆動した場合の黒信号に相当するパルス波形信号を疑似的に画素１１に印加したことになるので、反転駆動の特性を保持しつつ、黒信号供給部であるハイ側電圧供給部２１及びロー側電圧供給部２２の容量負荷による電力消費を低減することが可能になる。また、本実施の形態は、１フレーム内で画像表示と黒書込み（画面の消去）を行うことができるので、ホールド型表示装置の問題であった残像の発生を抑えることができる。
【００３２】
なお、同じ画素１１に、ハイ側電圧とロー側電圧とが同時に印加されることがないように、行選択用走査線２、ハイ側電圧用供給指令選択線１６及びロー側電圧用供給指令選択線１７の駆動を行う。
【００３３】
以上のように、本実施の形態に係る液晶表示装置では、ハイ側電圧用供給線１８とロー側電圧用供給線１９には、パルス電圧ではなく固定電圧が印加されるので、容量負荷による電力消費が発生せず、消費電力の増加の発生を抑えることができる。
【００３４】
（実施の形態２）
次に、実施の形態２について以下に説明する。本実施の形態に係る液晶表示装置は、各行方向あたりの配線数を２本とし、液晶表示セルに備えた２入力３出力選択回路をゲートロジックで制御するように構成している。
【００３５】
具体的に、本実施の形態に係る液晶表示装置の構成図を図３に示す。なお、図３の構成図において、図１と同等部分は同一符号により示されている。まず、図３に示す液晶表示セル１には、２入力３出力選択回路２３がそれぞれ設けられている。同一行方向の２入力３出力選択回路２３群には、２ビット供給指令信号を選択供給する２本の２ビット信号供給指令選択線２４が接続されている。
【００３６】
そして、図３に示す２ビット信号供給指令選択線２４には、ゲートロジック２５が接続されている。また、２入力３出力選択回路２３の出力は、ＴＦＴ１２,１４,１５のそれぞれのゲート端子に接続されている。
【００３７】
次に、図３に基づいて本実施の形態に係る液晶表示装置の動作を具体的に説明する。まず、ゲートロジック２５から２ビット信号供給指令選択線２４を介して２ビット信号が供給される。２入力３出力選択回路２３は、２ビット信号に基づいて、画素１１に対して並列に接続された３つのＴＦＴ１２,１４,１５を独立に制御する。例えば、２ビット信号が”１１”の場合、画像表示用のＴＦＴ１２がＯＮ状態になり、ソースドライバ５から画像信号が画素１１に印加される。２ビット信号が”０１”の場合、黒表示用のＴＦＴ１４がＯＮ状態になり、ロー側電圧供給部２２からロー側の黒信号に相当する電圧が画素１１に印加される。２ビット信号が”１０”の場合、黒表示用のＴＦＴ１５がＯＮ状態になり、ハイ側電圧供給部２１からロー側の黒信号に相当する電圧が画素１１に印加される。
【００３８】
ゲートロジック２５において適切な２ビット信号を供給することにより、ＴＦＴ１２,１４,１５を実施の形態１と同様に制御することができる。そのため、本実施の形態に係る液晶表示装置であっても、１フレームの垂直走査期間内に画像の書込みと消去を同時に行うことができ、インパルス型表示装置に近い画像表示が可能となる。
【００３９】
以上のように、本実施の形態に係る液晶表示装置は、行あたり２本ずつ配置された２ビット信号供給指令選択線２４と、液晶表示セル１毎に２入力３出力選択回路２３とを備えているので、実施の形態１と同様、容量負荷による電力消費が発生せず、消費電力の増加の発生を抑えることができる。
【００４０】
（実施の形態３）
次に、実施の形態３について以下に説明する。本実施の形態に係る液晶表示装置は、ハイ側電圧用供給線及びロー側電圧用供給線を１列おきに配している。そして、１本のハイ側電圧用供給線及び１本のロー側電圧用供給線の左右に位置するハイ側電圧用供給素子（ＴＦＴ）及びロー側電圧用供給素子（ＴＦＴ）が共通に１本のハイ側電圧用供給線及び１本のロー側電圧用供給線に接続されている。つまり、本実施の形態に係る液晶表示装置では、左右２つ画素を最小単位として黒信号を書込む構成である。
【００４１】
図４に、本実施の形態に係る液晶表示装置の構成図を示す。なお、図４の構成図において、図１と同等部分は同一符号により示されている。図４に示すハイ側電圧用供給線１８及びロー側電圧用供給線１９は、１列おきに配置される。つまり、本実施の形態に係る液晶表示装置では、図１に示したハイ側電圧用供給線１８及びロー側電圧用供給線１９の本数が半分である。
【００４２】
そして、図４に示す構成では、ハイ側電圧用供給線１８の左右に位置するＴＦＴ１５は、ソース電極が共にハイ側電圧用供給線１８に接続されている。また、ロー側電圧用供給線１９の左右に位置するＴＦＴ１４は、ソース電極が共にロー側電圧用供給線１９に接続されている。
【００４３】
次に、図４に基づいて、本実施の形態に係る液晶表示装置の動作を具体的に説明する。まず、本実施の形態に係る液晶表示装置においても、１フレームの垂直走査期間内に黒表示を行っているが、ハイ側電圧供給部２１からハイ側電圧用供給線１８を介してＴＦＴ１５にハイ側の黒信号が供給される場合、１本のハイ側電圧用供給線１８に対して、その左右に位置する２列のＴＦＴ１５が同時に駆動し、２列の画素１１が黒表示となる。同様に、ロー側電圧供給部２２からロー側電圧用供給線１９を介してＴＦＴ１４にロー側の黒信号が供給される場合、１本のロー側電圧用供給線１９に対して、その左右に位置する２列のＴＦＴ１４が同時に駆動し、２列の画素１１が黒表示となる。
【００４４】
本実施の形態に係る液晶表示装置では、ハイ側電圧用供給線１８及びロー側電圧用供給線１９を左右両側の画素１１で共用することで、黒信号の書込み時、左右の２画素が最小単位となり水平解像度が半分に落ちる。しかし、ハイ側電圧用供給線１８及びロー側電圧用供給線１９により供給される黒信号は、画像信号とは異なり、全ての画素１１に対して同じ階調の信号を供給するため解像度の問題はない。よって、本実施の形態に係る液晶表示装置では、表示用信号線３の本数に対してハイ側電圧用供給線１８及びロー側電圧用供給線１９が半分の本数であっても、全ての画素１１に黒信号を書込むことが可能である。
【００４５】
以上のように、本実施の形態に係る液晶表示装置では、ハイ側電圧用供給線１８及びロー側電圧用供給線１９を１列おきに配置することでも、１フレームの垂直走査期間内に画像の書込みと消去を同時に行うことができ、実施の形態１と同様、消費電力の増加の発生を抑えることができる。
【００４６】
なお、図４に示す液晶表示装置では、最左列には表示用走査線３の１本の配線、次の列には表示用走査線３、ハイ側電圧用供給線１８及びロー側電圧用供給線１９の３本の配線、さらに次の列には１本の配線、さらに次の列には３本の配線となっている。しかし、本発明はこれに限られず、例えば、最左列から順に、０本、４本、０本、４本、・・・のような配置や、最左列から順に、２本、２本、２本、２本、・・・のような配置であっても良い。
【００４７】
また、本実施の形態に係る液晶表示装置では、ハイ側電圧用供給線１８及びロー側電圧用供給線１９を１列おきに配置しているが、本発明はこれに限られず、２列おき又はそれ以上の列数おきにハイ側電圧用供給線１８及びロー側電圧用供給線１９を配置しても良い。但し、ＴＦＴ１４，１５のソース電極への配線を考慮すると、１列おきに配置するのが望ましい。
【００４８】
（実施の形態４）
次に、実施の形態４について以下に説明する。本実施の形態に係る液晶表示装置は、ハイ側電圧用供給指令選択線及びロー側電圧用供給指令選択線を１行おきに配している。そして、１本のハイ側電圧用供給指令選択線及び１本のロー側電圧用供給指令選択線の上下に位置するハイ側電圧用供給素子（ＴＦＴ）及びロー側電圧用供給素子（ＴＦＴ）が、共通に１本のハイ側電圧用供給指令選択線及び１本のロー側電圧用供給指令選択線に接続されている。つまり、本実施の形態に係る液晶表示装置では、上下２つ画素を最小単位として黒信号を書込む構成である。
【００４９】
図５に、本実施の形態に係る液晶表示装置の構成図を示す。なお、図５に示す構成図において、図１と同等部分は同一符号により示されている。図５に示す液晶表示装置では、ハイ側電圧用供給指令選択線１６及びロー側電圧用供給指令選択線１７が、１行おきに配置されている。つまり、本実施の形態に係る液晶表示装置では、図１に示したハイ側電圧用供給指令選択線１６及びロー側電圧用供給指令選択線１７の本数が半分である。
【００５０】
そして、図５に示す構成では、ハイ側電圧用供給指令選択線１６の上下に位置するＴＦＴ１５は、ゲート電極が共にハイ側電圧用供給指令選択線１６に接続されている。また、ロー側電圧用供給指令選択線１７の上下に位置するＴＦＴ１４は、ゲート電極が共にロー側電圧用供給指令選択線１７に接続されている。
【００５１】
次に、図５に基づいて、本実施の形態に係る液晶表示装置の動作を具体的に説明する。まず、本実施の形態に係る液晶表示装置においても、１フレームの垂直走査期間内に黒表示を行っているが、ＴＦＴ１５にハイ側の黒信号が供給される場合、１本のハイ側電圧用供給指令選択線１６に対して、その上下に位置する２行のＴＦＴ１５が同時に駆動され、２行の画素１１が黒表示となる。同様に、ＴＦＴ１４にロー側の黒信号が供給される場合、１本のロー側電圧用供給指令選択線１７に対して、その上下に位置する２行のＴＦＴ１４が同時に駆動され、２行の画素１１が黒表示となる。なお、本実施の形態に係る液晶表示装置では、２行のＴＦＴ１４，１５が同時に駆動されるので、２ライン反転駆動により制御される。
【００５２】
本実施の形態に係る液晶表示装置では、ハイ側電圧用供給指令選択線１６及びロー側電圧用供給指令選択線１７を上下両側の画素１１で共用することで、黒信号の書込み時、上下の２画素が最小単位となり垂直解像度が半分に落ちる。しかし、ハイ側電圧用供給指令選択線１６及びロー側電圧用供給指令選択線１７により駆動される画素１１は黒信号で画像信号とは異なり、全ての画素１１に対して同じ階調の信号が供給されるため解像度の問題とはならない。よって、本実施の形態に係る液晶表示装置では、行選択用走査線２の本数に対してハイ側電圧用供給指令選択線１６及びロー側電圧用供給指令選択線１７が半分の本数であっても、全ての画素１１に黒信号を書込むことが可能である。
【００５３】
以上のように、本実施の形態に係る液晶表示装置では、ハイ側電圧用供給指令選択線１６及びロー側電圧用供給指令選択線１７を１行おきに配置することでも、１フレームの垂直走査期間内に画像の書込みと消去を同時に行うことができ、実施の形態１と同様、消費電力の増加の発生を抑えることができる。
【００５４】
なお、図５に示す液晶表示装置では、最上行には行選択用走査線２の１本の配線、次の行には行選択用走査線２、ハイ側電圧用供給指令選択線１６及びロー側電圧用供給指令選択線１７の３本の配線、さらに次の行には１本の配線、さらに次の行には３本の配線となっている。しかし、本発明はこれに限られず、例えば、最上行から順に、０本、４本、０本、４本、・・・のような配置や、最上行から順に、２本、２本、２本、２本、・・・のような配置であっても良い。
【００５５】
また、本実施の形態に係る液晶表示装置では、ハイ側電圧用供給指令選択線１６及びロー側電圧用供給指令選択線１７を１行おきに配置していたが、本発明はこれに限られず、２行おき又はそれ以上の行数おきにハイ側電圧用供給指令選択線１６及びロー側電圧用供給指令選択線１７を配置しても良い。但し、ＴＦＴ１４，１５のゲート電極への配線を考慮すると、１行おきに配置するのが望ましい。
【００５６】
（実施の形態５）
次に、実施の形態５について以下に説明する。本実施の形態に係る液晶表示装置は、ハイ側電圧用供給線及びロー側電圧用供給線を１列おきに配し、且つハイ側電圧用供給指令選択線及びロー側電圧用供給指令選択線を１行おきに配している。そして、１本のハイ側電圧用供給線及び１本のロー側電圧用供給線の左右に位置するハイ側電圧用供給素子（ＴＦＴ）及びロー側電圧用供給素子（ＴＦＴ）が共通に１本のハイ側電圧用供給線及び１本のロー側電圧用供給線に接続され、且つ１本のハイ側電圧用供給指令選択線及び１本のロー側電圧用供給指令選択線の上下に位置するハイ側電圧用供給素子（ＴＦＴ）及びロー側電圧用供給素子（ＴＦＴ）が、共通に１本のハイ側電圧用供給指令選択線及び１本のロー側電圧用供給指令選択線に接続されている。つまり、本実施の形態に係る液晶表示装置では、上下左右４つ画素を最小単位として黒信号を書込む構成である。
【００５７】
図６に、本実施の形態に係る液晶表示装置の構成図を示す。なお、図６に示す構成において、図１と同等部分は同一符号により示されている。本実施の形態に係る液晶表示装置では、ハイ側電圧用供給指令選択線１６及びロー側電圧用供給指令選択線１７が１行おきに配置されている。そして、ハイ側電圧用供給指令選択線１６の上下に位置するＴＦＴ１４のゲート電極は、共通のハイ側電圧用供給指令選択線１６に接続され、ロー側電圧用供給指令選択線１７の上下に位置するＴＦＴ１５のゲート電極は、共通のロー側電圧用供給指令選択線１７に接続される。
【００５８】
さらに、本実施の形態に係る液晶表示装置では、ハイ側電圧用供給線１８及びロー側電圧用供給線１９が１列おきに配置されている。そして、ハイ側電圧用供給線１８の左右に位置するＴＦＴ１４のソース電極は、共通のハイ側電圧用供給線１８に接続され、ロー側電圧用供給線１９の左右に位置するＴＦＴ１５のソース電極は、共通のロー側電圧用供給線１９に接続されている。
【００５９】
次に、図６に基づいて、本実施の形態に係る液晶表示装置の動作を具体的に説明する。まず、１本のハイ側電圧用供給指令選択線１６がゲートドライバ６により選択されると、その上下に位置する２行のＴＦＴ１５がＯＮ状態となり、ハイ側電圧用供給線１８の左右に位置する２列のＴＦＴ１５毎にハイ側電圧供給部２１からハイ側電圧が供給され、画素１１が黒表示となる。同様に、１本のロー側電圧用供給指令選択線１９がゲートドライバ２０により選択されると、その上下に位置する２行のＴＦＴ１４がＯＮ状態となり、ロー側電圧用供給線１９の左右に位置する２列のＴＦＴ１４毎にロー側電圧供給部２２からロー側電圧が供給され、画素１１が黒表示となる。
【００６０】
つまり、本実施の形態に係る液晶表示装置では、ハイ側電圧用供給指令選択線１６及びロー側電圧用供給指令選択線１７の上下両側に位置する画素１１と、ハイ側電圧用供給線１８及びロー側電圧用供給線１９の左右両側に位置する画素１１とで共用することで、黒信号を書込む時に上下左右の４画素が最小単位となる。そのため、本実施の形態に係る液晶表示装置では、水平及び垂直解像度が半分に落ちるが、当該駆動は画像表示ではなく黒表示であり、全ての画素１１に対して一様に同じ黒信号が供給されるので解像度の問題は生じない。
【００６１】
よって、本実施の形態に係る液晶表示装置では、行選択用走査線２の本数に対してハイ側電圧用供給指令選択線１６及びロー側電圧用供給指令選択線１７が半分の本数で、且つ表示用信号線３の本数に対してハイ側電圧用供給線１８及びロー側電圧用供給線１９が半分の本数であっても、全ての画素１１に黒信号を書込むことが可能である。
【００６２】
以上のように、本実施の形態に係る液晶表示装置では、ハイ側電圧用供給指令選択線１６及びロー側電圧用供給指令選択線１７を１行おきに配置し、且つハイ側電圧用供給線１８及びロー側電圧用供給線１９を１列おきに配置することでも、１フレームの垂直走査期間内に画像の書込みと消去を同時に行うことができ、実施の形態１と同様、消費電力の増加の発生を抑えることができる。
【００６３】
なお、図６に示す液晶表示装置では、最上行には行選択用走査線２の１本の配線、次の行には行選択用走査線２、ハイ側電圧用供給指令選択線１６及びロー側電圧用供給指令選択線１７の３本の配線、さらに次の行には１本の配線、さらに次の行には３本の配線となっている。しかし、本発明はこれに限られず、例えば、最上行から順に、０本、４本、０本、４本、・・・のような配置や、最上行から順に、２本、２本、２本、２本、・・・のような配置であっても良い。同様に、最左列には表示用走査線３の１本の配線、次の列には表示用走査線３、ハイ側電圧用供給線１８及びロー側電圧用供給線１９の３本の配線、さらに次の列には１本の配線、さらに次の列には３本の配線となっている。しかし、本発明はこれに限られず、例えば、最左列から順に、０本、４本、０本、４本、・・・のような配置や、最左列から順に、２本、２本、２本、２本、・・・のような配置であっても良い。
【００６４】
また、本実施の形態に係る液晶表示装置では、ハイ側電圧用供給指令選択線１６及びロー側電圧用供給指令選択線１７を１行おきに配置し、且つハイ側電圧用供給線１８及びロー側電圧用供給線１９を１列おきに配置していたが、本発明はこれに限られず、２行２列おき又はそれ以上の行列おきにハイ側電圧用供給指令選択線１６、ロー側電圧用供給指令選択線１７、ハイ側電圧用供給線１８及びロー側電圧用供給線１９を配置しても良い。但し、ＴＦＴ１４，１５のゲート電極、ソース電極への配線を考慮すると、１行１列おきに配置するのが望ましい。
【００６５】
（実施の形態６）
次に、実施の形態６について以下に説明する。本実施の形態に係る液晶表示装置は、実施の形態１と異なり黒信号用供給素子（ＴＦＴ）が液晶表示セル毎に１つ設けられている構成である。さらに、本実施の形態に係る液晶表示装置は、黒信号供給線を１列おきに配し、１列の左右に位置する黒信号用供給素子が共通に当該黒信号供給線に接続され、左右２列の画素を最小単位として黒信号が書込まれる構成である。
【００６６】
図７は、本実施の形態に係る液晶表示装置の構成図である。なお、図７に示す構成において、図１と同等部分は同一符号により示されている。まず、図７に示す液晶表示装置では、図１に示す液晶表示装置と異なり、各液晶表示セル１に画像表示用のＴＦＴ１２と黒表示用のＴＦＴ１４に２つ設けられている。そして、ＴＦＴ１４は、ゲート電極が黒信号供給指令選択線９を介してゲートドライバ６に接続され、ソース電極が黒信号供給線８を介して黒信号供給部７に接続されている。
【００６７】
さらに、本実施の形態に係る液晶表示装置では、黒信号供給線８が１列おきに配置されている。そして、１本の黒信号供給線８の左右に位置するＴＦＴ１４のソース電極は、１本の黒信号供給線８に共通に接続されている。これにより、本実施の形態に係る液晶表示装置では、全ての列に対して黒信号供給線８を配置する場合に比べて、黒信号供給線８の本数を半分にすることができる。
【００６８】
次に、図７に基づいて、本実施の形態に係る液晶表示装置の動作を具体的に説明する。まず、本実施の形態に係る液晶表示装置では実施の形態１と異なり、ＴＦＴ１４に供給される黒信号は反転駆動を行うためパルス波形信号である。そして、１本の黒信号供給線８において、その左右に位置する２列のＴＦＴ１４に対して黒信号供給部７から黒信号のパルス波形信号が供給され、画素１１に黒画像が表示される。
【００６９】
本実施の形態に係る液晶表示装置では、パルス波形信号が黒信号供給線８に供給されるため、従来の液晶表示装置と同様、黒信号供給線８の容量負荷による電力消費が問題となる。しかし、本実施の形態に係る液晶表示装置は、従来の液晶表示装置に比べ黒信号供給線８の本数が半分である。そのため、本実施の形態における黒信号供給線８の容量負荷は、従来の液晶表示装置に比べて半分になる。従って、本実施の形態に係る液晶表示装置は、反転駆動を行っても従来の液晶表示装置に比べて消費電力を約半減することができる。
【００７０】
以上のように、本実施の形態に係る液晶表示装置は、黒信号供給線８を１列おきに配置することで、パルス波形信号による反転駆動を行っても、黒信号の書込み時における消費電力を低減することができる。
【００７１】
なお、黒信号供給線８の左右両側に位置する画素１１が、その黒信号供給線８を共用するので、左右２列の画素１１が黒信号の書込み時の最小単位となる。そのため、本実施の形態に係る液晶表示装置の水平解像度は半分に落ちることになるが、全ての画素１１に対して一様で同じ黒信号が供給されるため水平解像度の低下による問題は生じない。本実施の形態に係る液晶表示装置では、表示用信号線３の本数に対して半分の本数の黒信号供給線８で、全ての画素１１に対して黒信号を書込むことが可能である。
【００７２】
また、図７に示す液晶表示装置では、最左列には表示用走査線３の１本の配線、次の列には表示用走査線３及び黒信号供給線８の２本の配線、さらに次の列には１本の配線、さらに次の列には２本の配線となっている。しかし、本発明はこれに限られず、例えば、最左列から順に、０本、３本、０本、３本、・・・のような配置であっても良い。
【００７３】
さらに、本実施の形態に係る液晶表示装置では、黒信号供給線８を１列おきに配線していたが、本発明はこれに限られず、黒信号供給線８を２列おき又はそれ以上の列数おきに配置しても良い。但し、ソース電極への配線を考慮すると、１列おきに黒信号供給線８を配線するのが望ましい。
【００７４】
（実施の形態７）
次に、実施の形態７について以下に説明する。本実施の形態の液晶表示装置は、実施の形態１と異なり黒信号用供給素子（ＴＦＴ）が液晶表示セル毎に１つ設けられている構成である。さらに、本実施の形態に係る液晶表示装置は、黒信号供給線を１行おきに配し、１行の上下に位置する黒信号用供給素子が共通に当該黒信号供給線に接続され、上下２行の画素を最小単位として黒信号が書込まれる構成である。
【００７５】
図８は、本実施の形態に係る液晶表示装置の構成図である。なお、図８に示す構成において、図１と同等部分は同一符号により示されている。まず、図８に示す液晶表示装置では、図１に示す液晶表示装置と異なり、各液晶表示セル１に画像表示用のＴＦＴ１２と黒表示用のＴＦＴ１４に２つ設けられている。そして、ＴＦＴ１４は、ゲート電極が黒信号供給指令選択線９を介してゲートドライバ６に接続され、ソース電極が黒信号供給線８を介して黒信号供給部７に接続されている。
【００７６】
さらに、本実施の形態に係る液晶表示装置では、黒信号供給指令選択線９が１行おきに配置されている。そして、１本の黒信号供給指令選択線９の上下に位置するＴＦＴ１４のゲート電極は、１本の黒信号供給指令選択線９に共通に接続されている。これにより、本実施の形態に係る液晶表示装置では、全ての行に対して黒信号供給指令選択線９を配置する場合に比べて、黒信号供給指令選択線９の本数を半分にすることができる。
【００７７】
次に、図８に基づいて、本実施の形態に係る液晶表示装置の動作を具体的に説明する。まず、本実施の形態に係る液晶表示装置では実施の形態１と異なり、ＴＦＴ１４に供給される黒信号は反転駆動を行うためパルス波形信号である。そして、１本の黒信号供給指令選択線９がゲートドライバ６により選択されると、その上下に位置する２行のＴＦＴ１４が駆動され、黒信号供給部７から黒のパルス波形信号が供給され、画素１１に黒が表示される。
【００７８】
本実施の形態に係る液晶表示装置では、パルス波形信号が黒信号供給線８に供給されるため、従来の液晶表示装置と同様、黒信号供給線８の容量負荷による電力消費が問題となる。しかし、本実施の形態に係る液晶表示装置は、上下２行が同時に駆動される２ライン反転駆動を行っている。そのため、黒信号供給部７から供給されるパルス波形信号は、従来の液晶表示装置において黒信号供給部７から供給されるパルス波形信号の半分の周波数となる。よって、本実施の形態における黒信号供給線８の容量負荷による電力消費は、従来の液晶表示装置に比べて低減することができる。従って、本実施の形態に係る液晶表示装置は、反転駆動を行っても従来の液晶表示装置に比べて消費電力を低減することができる。
【００７９】
以上のように、本実施の形態に係る液晶表示装置は、黒信号供給指令選択線９を１行おきに配置することで、パルス波形信号による反転駆動を行っても、黒信号の書込み時における消費電力を低減することができる。
【００８０】
なお、黒信号供給指令選択線９の上下両側に位置する画素１１が、その黒信号供給指令選択線９を共用するので、上下２行の画素１１が黒信号の書込み時の最小単位となる。そのため、本実施の形態に係る液晶表示装置の垂直解像度は半分に落ちることになるが、全ての画素１１に対して一様で同じ黒信号が供給されるため垂直解像度の低下による問題は生じない。本実施の形態に係る液晶表示装置では、行選択用走査線２の本数に対して半分の本数の黒信号供給指令選択線９で、全ての画素１１に対して黒信号を書込むことが可能である。
【００８１】
また、図８に示す液晶表示装置では、最上行には行選択用走査線２の１本の配線、次の行には行選択用走査線２及び黒信号供給指令選択線９の２本の配線、さらに次の列には１本の配線、さらに次の列には２本の配線となっている。しかし、本発明はこれに限られず、例えば、最上行から順に、０本、３本、０本、３本、・・・のような配置であっても良い。
【００８２】
さらに、本実施の形態に係る液晶表示装置では、黒信号供給指令選択線９を１行おきに配線していたが、本発明はこれに限られず、黒信号供給指令選択線９を２行おき又はそれ以上の行数おきに配置しても良い。但し、ゲート電極への配線を考慮すると、１行おきに黒信号供給指令選択線９を配線するのが望ましい。
【００８３】
（実施の形態８）
次に、実施の形態８について以下に説明する。本実施の形態に係る液晶表示装置は、実施の形態１と異なり黒信号用供給素子（ＴＦＴ）が液晶表示セル毎に１つ設けられている構成である。さらに、本実施の形態に係る液晶表示装置では、黒信号供給線が１列おきに配され、且つ黒信号供給指令選択線が１行おきに配されている。また、１列の左右に位置する黒信号用供給素子は１本の黒信号供給線を共用し、１行の上下に位置する黒信号用供給素子は１本の黒信号供給指令選択線を共用している。従って、本実施の形態に係る液晶表示装置では、上下左右の４画素が黒信号の書込みの際の最小単位として構成されている。
【００８４】
図９に、本実施の形態に係る液晶表示装置の構成図を示す。図９に示す構成において、図１と同等部分は同一符号により示されている。まず、図９に示す液晶表示装置では、図１に示す液晶表示装置と異なり、各液晶表示セル１に画像表示用のＴＦＴ１２と黒表示用のＴＦＴ１４に２つ設けられている。そして、ＴＦＴ１４は、ゲート電極が黒信号供給指令選択線９を介してゲートドライバ６に接続され、ソース電極が黒信号供給線８を介して黒信号供給部７に接続されている。
【００８５】
さらに、本実施の形態に係る液晶表示装置では、黒信号供給指令選択線９が１行おきに配置され、且つ黒信号供給線８が１列おきに配置されている。そして、１本の黒信号供給指令選択線９の上下に位置するＴＦＴ１４のゲート電極は、１本の黒信号供給指令選択線９に共通に接続され、且つ１本の黒信号供給線８の左右に位置するＴＦＴ１４のソース電極は、１本の黒信号供給線８に共通に接続されている。これにより、本実施の形態に係る液晶表示装置では、全ての行列に対して黒信号供給線８及び黒信号供給指令選択線９を配置する場合に比べて、黒信号供給線８及び黒信号供給指令選択線９の本数を半分にすることができる。
【００８６】
次に、図９に基づいて、本実施の形態に係る液晶表示装置の動作を具体的に説明する。まず、１本の黒信号供給指令選択線９がゲートドライバ６により選択されると、その上下２行のＴＦＴ１４が駆動される。そして、駆動されたＴＦＴ１４に対し、黒信号供給線８の左右に位置する２列毎に黒のパルス波形信号を黒信号供給部７から供給し、画素１１に黒を表示させる。
【００８７】
本実施の形態に係る液晶表示装置では、パルス波形信号が黒信号供給線８に供給されるため、従来の液晶表示装置と同様、黒信号供給線８の容量負荷による電力消費が問題となる。しかし、本実施の形態に係る液晶表示装置は、従来の液晶表示装置に比べ黒信号供給線８の本数が半分であり、且つ上下２行が同時に駆動される２ライン反転駆動を行っている。そのため、本実施の形態における黒信号供給線８の容量負荷は、従来の液晶表示装置に比べて半分になり、且つ黒信号供給部７から供給されるパルス波形信号は、従来の液晶表示装置において黒信号供給部７から供給されるパルス波形信号の半分の周波数となる。よって、本実施の形態における黒信号供給線８の容量負荷による電力消費は、従来の液晶表示装置に比べてさらに低減することができる。従って、本実施の形態に係る液晶表示装置は、反転駆動を行っても従来の液晶表示装置に比べて消費電力を低減することができる。
【００８８】
以上のように、本実施の形態に係る液晶表示装置は、黒信号供給指令選択線９及び黒信号供給線８を１行１列おきに配置することで、パルス波形信号による反転駆動を行っても、黒信号の書込み時における消費電力を低減することができる。
【００８９】
なお、黒信号供給指令選択線９及び黒信号供給線８の上下左右に位置する画素１１が、その黒信号供給指令選択線９及び黒信号供給線８を共用するので、上下左右２行２列の画素１１が黒信号の書込み時の最小単位となる。そのため、本実施の形態に係る液晶表示装置の水平及び垂直解像度は半分に落ちることになるが、全ての画素１１に対して一様で同じ黒信号が供給されるため水平及び垂直解像度の低下による問題は生じない。また、本実施の形態に係る液晶表示装置では、行選択用走査線２及び表示用信号線３の本数に対して半分の本数の黒信号供給指令選択線９及び黒信号供給線８で、全ての画素１１に対して黒信号を書込むことが可能である。
【００９０】
また、図９に示す液晶表示装置では、最左列には表示用走査線３の１本の配線、次の列には表示用走査線３及び黒信号供給線８の２本の配線、さらに次の列には１本の配線、さらに次の列には２本の配線となっている。しかし、本発明はこれに限られず、例えば、最左列から順に、０本、３本、０本、３本、・・・のような配置であっても良い。同様に、最上行には行選択用走査線２の１本の配線、次の行には行選択用走査線２及び黒信号供給指令選択線９の２本の配線、さらに次の列には１本の配線、さらに次の列には２本の配線となっている。しかし、本発明はこれに限られず、例えば、最上行から順に、０本、３本、０本、３本、・・・のような配置であっても良い。
【００９１】
さらに、本実施の形態に係る液晶表示装置では、黒信号供給指令選択線９及び黒信号供給線８を１行１列おきに配線していたが、本発明はこれに限られず、黒信号供給指令選択線９及び黒信号供給線８を２行２列おき又はそれ以上の行列おきに配置しても良い。但し、ゲート電極及びソース電極への配線を考慮すると、１行１列おきに黒信号供給指令選択線９及び黒信号供給線８を配線するのが望ましい。
【００９２】
（実施の形態９）
次に、実施の形態９について以下に説明する。本実施の形態に係る液晶表示装置は、実施の形態１と異なり黒信号用供給素子（ＴＦＴ）が液晶表示セル毎に１つ設けられている構成である。さらに、本実施の形態に係る液晶表示装置では、画像の輝度レベルに応じて黒表示用の信号をライン反転駆動で行うか、フレーム反転駆動で行うかを選択する構成である。
【００９３】
図１０は、本実施の形態に係る液晶表示装置の構成図である。なお、図１０に示す構成図において、図１と同等部分は同一符号により示されている。まず、図１０に示す液晶表示装置では、図１に示す液晶表示装置と異なり、各液晶表示セル１に画像表示用のＴＦＴ１２と黒表示用のＴＦＴ１４に２つ設けられている。そして、ＴＦＴ１４は、ゲート電極が黒信号供給指令選択線９を介してゲートドライバ６に接続され、ソース電極が黒信号供給線８を介して黒信号供給部７に接続されている。
【００９４】
さらに、本実施の形態に係る液晶表示装置では、入力された画像信号から輝度レベルを判定し、当該輝度レベルに応じて黒信号供給部７から供給される黒信号をライン反転駆動で行うのか、フレーム反転駆動で行うのかを選択する反転制御部２６をさらに設けている。なお、反転制御部２６での反転駆動方式は、ライン反転駆動又はフレーム反転駆動に限定されない。
【００９５】
通常、液晶表示装置においてフレーム反転駆動により黒表示を行う場合、配線の入力側から遠くになるに従い配線抵抗等の影響により信号の劣化が生じ、輝度傾斜が生じる問題があった。そのため、輝度傾斜の影響を緩和するために、通常液晶表示装置においてはライン反転駆動が行われていた。ただ、本実施の形態に係る液晶表示装置においては、画像信号に対しては、ライン反転駆動を行っているが、黒書込み時については画像信号の輝度レベルに応じて反転駆動方式を選択している。
【００９６】
これは、黒書込みが画像を表示した後に黒表示を行うため、表示した画像の輝度レベルにより、輝度傾斜の視認される程度が異なるためである。つまり、画像が所定の輝度レベル以上であれば黒表示をフレーム反転駆動によって駆動したとしても輝度傾斜が視認され難くなる。
【００９７】
黒表示をライン反転駆動で行うためには、黒信号供給部７からの信号がパルス波形信号でなければならず、ライン反転駆動は黒信号供給線８の容量負荷による電力消費が問題となる。しかし、黒表示をフレーム反転駆動で行えば、黒信号供給部７からの信号が１フレーム内においてはパルス波形信号ではなく一定値となるので、黒信号供給線８の容量負荷による電力消費の問題が生じなくなる。そのため、本実施の形態に係る液晶表示装置では、輝度傾斜が視認しにくい輝度レベルの画像時には黒表示をフレーム反転駆動させ消費電力の低減を図り、輝度傾斜が視認しやすくなる輝度レベルの画像時には黒表示をライン反転駆動させている。
【００９８】
次に、図１０に基づいて、本実施の形態に係る液晶表示装置の動作を具体的に説明する。まず、本実施の形態に係る液晶表示装置では、通常輝度傾斜などを考慮して、画素１１にはＴＦＴ１２によって１ライン毎に反転した画像信号が書込まれる。つまり、本実施の形態に係る液晶表示装置では、１ライン反転駆動で画像を表示している。しかし、黒書込み期間の黒表示は、黒画面を視認するための表示ではなくインパルス表示を行うための表示であるので、輝度レベルが高い画像が表示された後の黒表示は輝度傾斜が視認されにくい。そこで、黒書込み期間に対しては、反転制御部２６において、入力された画像信号の輝度レベルを検出し、その結果に応じて所定の輝度レベルより高い場合はフレーム反転駆動を行い、輝度傾斜の影響が視認されるような所定の輝度レベル以下の場合にはライン反転を行う。
【００９９】
以上のように、本実施の形態に係る液晶表示装置は、画像信号の輝度レベルに応じて黒信号の反転駆動方式（フレーム又はライン）を制御することで、黒書込み時の消費電力を低減することが可能とする。
【０１００】
なお、フレーム反転駆動よりも消費電力低減の効果は劣るが、フレーム反転駆動に替えて、黒書込みを２ライン反転駆動もしくはｎ（ｎ≧３）ライン反転駆動で行っても良い。さらに、実施の形態６乃至実施の形態８に本実施の形態の反転選択回路を適用することでさらに消費電力を低減することができる。
【図面の簡単な説明】
【０１０１】
【図１】本発明の実施の形態１に係る液晶表示装置の構成図である。
【図２】本発明の実施の形態１に係る液晶表示装置のタイミングチャートである。
【図３】本発明の実施の形態２に係る液晶表示装置の構成図である。
【図４】本発明の実施の形態３に係る液晶表示装置の構成図である。
【図５】本発明の実施の形態４に係る液晶表示装置の構成図である。
【図６】本発明の実施の形態５に係る液晶表示装置の構成図である。
【図７】本発明の実施の形態６に係る液晶表示装置の構成図である。
【図８】本発明の実施の形態７に係る液晶表示装置の構成図である。
【図９】本発明の実施の形態８に係る液晶表示装置の構成図である。
【図１０】本発明の実施の形態９に係る液晶表示装置の構成図である。
【符号の説明】
【０１０２】
１  液晶表示セル、２  行選択用走査線、３  表示用信号線、４  ゲートドライバ、５  ソースドライバ、６  ゲートドライバ、７  黒信号供給部、１１  画素、１２,１４,１５  ＴＦＴ、１３  電極、１６  ハイ側電圧用供給指令選択線、１７  ロー側電圧用供給指令選択線、１８  ハイ側電圧用供給線、１９  ロー側電圧用供給線、２０ゲートドライバ、２１  ハイ側電圧供給部、２２  ロー側電圧供給部、２３  ２入力３出力選択回路、２４  ２ビット信号供給指令選択線、２５  ゲートロジック、２６  反転制御部。
【図１】
2006058545.tif 000003
【図２】
2006058545.tif 000004
【図３】
2006058545.tif 000005
【図４】
2006058545.tif 000006
【図５】
2006058545.tif 000007
【図６】
2006058545.tif 000008
【図７】
2006058545.tif 000009
【図８】
2006058545.tif 000010
【図９】
2006058545.tif 000011
【図１０】
2006058545.tif 000012